(57)【要約】【課題】  容器から取り出して使用した使用済みのテイッシュペーパー等の処理を容易にすると共に、容器外に露出する未使用のテイッシュペーパーへのホコリ等の付着を防止する。【解決手段】  上面に開閉自在な上蓋を設けると共に、内部に移動可能な移動板を備えた容器と、下面に開閉自在な下蓋を設けると共に、内部に空間部を形成した屑入れ容器とが一体的に構成されたテイッシュペーパー容器。【選択図】      図１
0003113028.tif 000002
【実用新案登録請求の範囲】
【請求項１】
箱状のテイッシュペーパー容器であって、テイッシュペーパーＴを積層収納するテイッシュペーパー収納容器１と、使用済みのテイッシュペーパー等の屑を収納するための空間部を設けた屑収納容器２とを、上下に組合せて一体的に接合し構成し、前記テイッシュペーパー収納容器１内には、積層収納するテイッシュペーパーＴの増減に伴って移動する移動自在な移動板３を係止可能に設けて、前記テイッシュペーパー収納容器１の上面４には、テイッシュペーパーを引き出す引出し口５を形成すると共に、該引出し口５を閉鎖できるような開閉自在な上蓋６を設ける。さらに、前記屑収納容器２の下面７には、屑を投入できる屑入れ口８を形成すると共に、該屑入れ口８を閉鎖できる開閉自在な下蓋９を設けたことを特徴とする屑収納部を有するテイッシュペーパー容器。
【考案の詳細な説明】
【考案の詳細な説明】
【技術分野】
【０００１】    本考案は、テイッシュペーパー収納容器と屑収納容器とを一体的に組合せて接合した屑収納部を有するテイッシュペーパー収納容器に関するものである。
【背景技術】
【０００２】  従来、一般家庭、病院、自動車内などに使用されるテイッシュペーパーは、箱状の容器内に数百枚程度収納された状態で市販されている。この形式のテイッシュペーパー容器は、上部から一枚ずつ引き出して使用し、使用済みのテイッシュペーパーは、屑入れ籠に捨てるが、テイッシュペーパー容器と屑入れ籠とが別々の場所に設置されていることが多いために、使用済みのテイッシュペーパーをその場所で処理することができず、その処理に不便をきたすことが多かった。
また、この種のテイッシュペーパー容器は、容器内に収納したテイッシュペーパーを取出すことにより、次に使用されるテイッシュペーパーの先端部分が容器外に突出して露出したまま残るために、使用せずにそのまま長時間放置した場合には、テイッシュペーパーの表面に埃や雑菌が付着し、また、容器内に異物が侵入したりして衛生上好ましくなかった。
【考案が解決しようとする課題】
【０００３】  本考案は、上記従来の問題点を解決するためになされたものであって、使用済のテイッシュペーパー等の屑処理を容易にし、又、次回に使用する容器上に突出するテイッシュペーパーにゴミや雑菌等が付着するのを防止する。
【課題を解決するための手段】
【０００４】  箱状のテイッシュペーパー容器であって、テイッシュペーパーＴを積層収納するテイッシュペーパー収納容器１と、使用済みのテイッシュペーパー等の屑を収納するための空間部を設けた屑収納容器２とを、上下に組合せて一体的に接合し構成し、前記テイッシュペーパー収納容器１内には、積層収納するテイッシュペーパーＴの増減に伴って移動する移動自在な移動板３を係止可能に設けて、前記テイッシュペーパー収納容器１の上面４には、テイッシュペーパーを引き出す引出し口５を形成すると共に、該引出し口５を閉鎖できるような開閉自在な上蓋６を設ける。さらに、前記屑収納容器２の下面７には、屑を投入できる屑入れ口８を形成すると共に、該屑入れ口８を閉鎖できる開閉自在な下蓋９を設けたことを特徴とする屑収納部を有するテイッシュペーパー容器。
【本考案の実施の形態】
【０００５】以下に、本考案の実施の形態について、図面により説明する。
図１は、本考案に係る箱状のテイッシュペーパー容器の上蓋を開けた状態を示す外観斜視図で、テイッシュペーパー容器は、一定長に積層されたテイッシュペーパーＴを収納するテイッシュペーパー収納容器１と、使用済のテイッシュペーパー等の屑を収納するための屑収納容器２とを各々上下に組み合せて構成されている。
本考案は、図１に示すように、テイッシュペーパー収納容器１の上面４に左右方向に長い楕円状、矩形状等適宜形状のミシン目が形成し、このミシン目で囲われた内側部分が切り取られて開口部分が設けられている。この開口部分には、薄い合成樹脂製フィルムが予め接着して閉鎖されており、このフィルムの中央部分にカット線が入れられて引出し口５が形成し、テイッシュペーパー収納容器１内に収納されたテイッシュペーパーＴを引き出す際に引出し口５が押し広げられて、一枚毎にテイッシュペーパーが収納容器１外に次々に引き出される。そして、次のテイッシュペーパーの先端部分が、テイッシュペーパー収納容器１の外側に突出した状態で残される。
この引出し口５から外側に突出されたテイッシュペーパーＴの先端部分をカバーするために、テイッシュペーパー収納容器１の上面４に上蓋６が設けられている。上蓋６はテイッシュペーパー収納容器１の上面４とほぼ同寸法の大きさで作られ、ここでは、接着テープ等によりその一端部が固定されて引出し口５の全面を覆うように開閉自在に設けられている。尚、この上蓋６は収納容器１と一体的に形成することもできる。
図２は、テイッシュペーパー収納容器１を下側から見た斜視図で、このテイッシュペーパー収納容器１には、底面部分を切り抜いた状態で四方には枠１０が形成されている。
図３は、テイッシュペーパー容器全体（図１）の縦断面図を示す。
テイッシュペーパー収納容器１内に設けられた移動板３が、テイッシュテイッシュペーパーＴの下側を保持しつつ、テイッシュペーパーＴの増減に伴って上下移動可能に枠１０上に支持され、また、屑収納容器２の空間部１２には、テイッシュペーパー等の屑が収納される。
図４は、屑収納容器２を上方から見た斜視図で、屑収納容器２の上側先端部分の四方を折り曲げて、折り曲げ片１１が形成されることにより屑収納容器２内には屑収納部としての空間部１２（図３）が設けられる。
図５は、テイッシュペーパー容器を下面から見た状態を示す斜視図であって、テイッシュペーパー収納容器１の底面部分に形成した枠１０と屑収納容器２に形成した折り曲げ片１１との接合面に両面テープを使用して張り合わせるか、或いは、接合した外周部分を接着テープ等で巻付けることにより、テイッシュペーパー容器が一体的に構成される。
そして、屑収納容器２の下面７には、左右方向に長い楕円状、矩形状などの適宜形状のミシン目が形成し、ミシン目で囲われた内側部分が切り取られて開口部分が設けられる。この開口部分には薄い合成樹脂製フィルムが予め接着し閉鎖されており、このフィルムの中央部分にカット線が入れられて屑を投入するための屑入れ口８が形成される。また、屑収納容器２の下面７には、屑収納容器２の下面７とほぼ同寸法で形成された下蓋９が屑入れ口８の全面を覆うように、その一端側が開閉可能に接着テープ等で止着されている。下蓋９は接着テープ等で止着する代わりに屑収納容器２と一体的に形成することもできる。
本案は、上記のように構成されているので、屑入れ口８から屑収納容器２内に次々と使用済みの屑を投入することにより、空間部１２内の屑が増し、ついには、その屑で移動板３を均一に押し上げるようになって空間部１２の内容積が増大していくため、屑の収納スペースを充分に確保できる。また、屑入れ口８を下蓋９で閉鎖して、屑収納部２の空間部１２に投入された屑の脱出を防止でき臭気の発散も防止できる。
なお、屑収納部２内には、予め屑収納袋を入れておきそのゴミ袋に屑を収納するようにしてもよい。
【考案の効果】
【０００６】  この考案は、テイッシュペーパー収納容器と屑収納容器を一体的に組み合わせ、屑収納容器の内部に空間部を設けことにより、テイッシュペーパー収納容器から引き出した後の使用済みのテイッシュペーパーを、直ちにその場所において容易に処理することができ、屑篭も要らなくなり極めて便利である。
また、テイッシュペーパーを使用して残量が減少した場合、屑入れ口から屑収納容器内に投入された使用済みのテイッシュペーパーによって、枠上に支持された移動自在な移動板が均一に押し上げられる結果、移動板は、テイッシュペーパー収納容器内を円滑に移動して屑収納容器内の収納空間を充分保有することができる。
また、テイッシュペーパー収納容器に引出し口を覆うように開閉可能な上蓋が設けてあるので、使用後に上蓋を閉じれば次回に使用するテイッシュペーパーに雑菌、ゴミなどが付着するのを防止できる。
さらに、屑収納容器には、屑入れ口を覆う下蓋が、屑収納容器の下面に密着するように設けあるため、屑収納容器内と外部との連絡を断つことができるので、臭気の発散を防止して衛生的に使用することができるなどの効果がある。
【図面の簡単な説明】
【図１】  本考案に係る箱状のテイッシュペーパー容器の全体を示す外観斜視図である。
【図２】  テイッシュペーパー収納容器１を下側から見た外観斜視図である。
【図３】  図１のテイッシュペーパー容器の縦断面図である。
【図４】  屑収納容器２を上方から見た斜視図である。
【図５】  テイッシュペーパー容器の下蓋９を開けた状態を下方から見た斜視図である。
【符号の説明】
１…テイッシュペーパー収納容器
２…屑収納容器
３…移動板
４…上面
５…引出し口
６…上蓋
７…下面
８…屑入れ口
９…下蓋
１０…枠
１１…折り曲げ片
１２…空間部
Ｔ…テイッシュペーパー
【図１】
0003113028.tif 000003
【図２】
0003113028.tif 000004
【図３】
0003113028.tif 000005
【図４】
0003113028.tif 000006
【図５】
0003113028.tif 000007